(57)【要約】【課題】ドレンが凍結した後に使用してもドレン排出ポンプの破損を抑制できる潜熱回収式熱源機を提供する。【解決手段】潜熱回収式熱源機は、ドレンタンク１と、水位検知手段２と、排出管３と、ドレン排出ポンプ４と、加熱手段５とを備えている。潜熱回収式熱源機は、水位検知手段２がドレンの所定以上の水位を検知して、ドレン排出ポンプ４を駆動するよう制御してから所定時間内にドレン排出ポンプ４の駆動を検知しなければ、ドレン排出ポンプ４を駆動する制御を中止し、加熱手段５を所定時間作動してドレン排出ポンプ４を加熱する。【選択図】図１
2015040669.tif 000002
【特許請求の範囲】
【請求項１】
ドレンを貯留するためのドレンタンクと、
前記ドレンタンク内における前記ドレンの水位を検知するための水位検知手段と、
前記ドレンを前記ドレンタンクから排出するための排出管と、
前記排出管の途中に接続されたドレン排出ポンプと、
前記ドレン排出ポンプを加熱するための加熱手段とを備え、
前記水位検知手段が前記ドレンの所定以上の水位を検知して、前記ドレン排出ポンプを駆動するよう制御してから所定時間内に前記ドレン排出ポンプの駆動を検知しなければ、前記ドレン排出ポンプを駆動する制御を中止し、前記加熱手段を所定時間作動して前記ドレン排出ポンプを加熱する、潜熱回収式熱源機。
【請求項２】
前記水位検知手段は、前記ドレンタンク内における前記ドレンの水位が少なくとも高位および低位のいずれかにあることを検知可能であり、
前記水位検知手段が前記ドレンの水位が前記高位よりも前記低位側にあることを検知したときに前記ドレン排出ポンプを駆動するように制御する、請求項１に記載の潜熱回収式熱源機。
【請求項３】
前記潜熱回収式熱源機の運転を終了した後に再び前記潜熱回収式熱源機の運転を開始してから、前記水位検知手段が前記ドレンの水位が前記高位よりも前記低位側にあることを検知したときに前記ドレン排出ポンプを駆動するように制御する、請求項２に記載の潜熱回収式熱源機。
【請求項４】
前記ドレンの温度を検知するための温度検知手段をさらに備え、
前記温度検知手段が前記ドレンの温度が所定温度以下であることを検知したときのみ、前記加熱手段を作動する、請求項１または２に記載の潜熱回収式熱源機。
【請求項５】
前記ドレン排出ポンプの回転駆動を検知するための回転センサをさらに備え、
前記回転センサが前記ドレン排出ポンプの回転駆動を検知しなければ、前記ドレン排出ポンプの駆動を中止する、請求項１〜３のいずれか１項に記載の潜熱回収式熱源機。
【発明の詳細な説明】
【技術分野】
【０００１】
本発明は、潜熱回収式熱源機に関し、特に、ドレン排出ポンプを備えた潜熱回収式熱源機に関するものである。
【背景技術】
【０００２】
熱源機の一例として、熱効率を高めるために、燃焼排気ガスの顕熱および潜熱（燃焼排気ガス中の水蒸気が保有している潜熱）を回収する熱交換器を備えたものが実用化されている。この潜熱回収可能な熱交換器を用いた場合、燃焼排気ガス中の水蒸気は潜熱を奪われることにより凝縮して結露するため、熱交換器に多量のドレン（結露水）が発生する。このドレンはドレンタンクに溜められた後にドレン排出ポンプにより適時に排出される。
【０００３】
ところで長期旅行などの際に熱源機の電源が切られる場合がある。この場合、帰宅後に熱源機の電源を再び入れても、冬場などにはドレンが凍結しているため、ドレンを機外に排出できないことがある。そして、ドレンが凍結した状態で熱源機を使用しようとすると、ドレン排出ポンプに負荷がかかるおそれがある。
【０００４】
このようなドレンの凍結を防止する技術が、たとえば特開２００６−１１２７６３号公報（特許文献１）および特開平９−２６２９１号公報（特許文献２）に記載されている。特開２００６−１１２７６３号公報には、ドレン温度に関係する部位の温度を検出する温度検出手段が所定温度以下を検出した場合にドレンを加熱し、ドレンタンクの水位を検出する水位検出手段が所定水位以上であることを検出している場合に、ポンプを駆動してドレンタンクのドレンをドレン回路に強制排水することが記載されている。
【０００５】
また特開平９−２６２９１号公報には、ドレン容器の温度を検知する温度検知手段が設定温度以下を検知すると、ドレン容器に添設されたヒータを作動させてドレン容器内のドレンの凍結を防止することが記載されている。
【先行技術文献】
【特許文献】
【０００６】
【特許文献１】特開２００６−１１２７６３号公報
【特許文献２】特開平９−２６２９１号公報
【発明の概要】
【発明が解決しようとする課題】
【０００７】
しかしながら、上記公報のいずれも温度検知手段の測定誤差によって実際にはドレンが凍結しているにも関わらずドレンを排出しようとしてドレン排出ポンプを作動させることがある。この場合、ドレン排出ポンプを無理に駆動させることになるため、ドレン排出ポンプに負担がかかり、ドレン排出ポンプが破損するという問題がある。
【０００８】
本発明は、上記の課題に鑑みてなされたものであり、その目的は、ドレンが凍結した後に使用してもドレン排出ポンプの破損を抑制できる潜熱回収式熱源機を提供することである。
【課題を解決するための手段】
【０００９】
本発明の潜熱回収式熱源機は、ドレンタンクと、水位検知手段と、排出管と、ドレン排出ポンプと、加熱手段とを備えている。ドレンタンクはドレンを貯留するためのものである。水位検知手段はドレンタンク内におけるドレンの水位を検知するためのものである。排出管はドレンをドレンタンクから排出するためのものである。ドレン排出ポンプは排出管の途中に接続されている。加熱手段はドレン排出ポンプを加熱するためのものである。潜熱回収式熱源機は、水位検知手段がドレンの所定以上の水位を検知して、ドレン排出ポンプを駆動するよう制御してから所定時間内にドレン排出ポンプの駆動を検知しなければ、ドレン排出ポンプを駆動する制御を中止し、加熱手段を所定時間作動してドレン排出ポンプを加熱する。
【００１０】
本発明の潜熱回収式熱源機は、ドレン排出ポンプを駆動するよう制御してから所定時間内にドレン排出ポンプの駆動を検知しなければ、ドレン排出ポンプを駆動する制御を中止する。このため、ドレン排出ポンプの負担が抑制される。そして、加熱手段を所定時間作動することによって凍結したドレンを解凍することができる。凍結したドレンを解凍した後にドレン排出ポンプを駆動することによってドレン排出ポンプに負担をかけないようにすることができる。これにより、ドレンが凍結した後に使用してもドレン排出ポンプの破損を抑制することができる。
【００１１】
上記の潜熱回収式熱源機においては、水位検知手段は、ドレンタンク内におけるドレンの水位が少なくとも高位および低位のいずれかにあることを検知可能である。潜熱回収式熱源機は、水位検知手段がドレンの水位が高位よりも低位側にあることを検知したときにドレン排出ポンプを駆動するように制御する。水位検知手段がドレンの水位が高位よりも低位側にあることを検知したときにドレン排出ポンプが駆動されるため、通常運転とは異なる凍結運転においてドレン排出ポンプを駆動することができる。また、ドレンがドレン排出ポンプ内に入った状態で加熱手段が作動されることによって、ドレンがドレン排出ポンプ内に入っていない状態よりも加熱手段の伝熱効率を高めることができる。
【００１２】
上記の潜熱回収式熱源機は、潜熱回収式熱源機の運転を終了した後に再び潜熱回収式熱源機の運転を開始してから、水位検知手段がドレンの水位が高位よりも低位側にあることを検知したときにドレン排出ポンプを駆動するように制御する。このため、潜熱回収式熱源機の運転を終了した後に再び運転を開始したときに加熱手段が作動されることによって、凍結したドレンを解凍することができる。
【００１３】
上記の潜熱回収式熱源機は、ドレンの温度を検知するための温度検知手段をさらに備えている。潜熱回収式熱源機は、温度検知手段がドレンの温度が所定温度以下であることを検知したときのみ、加熱手段を作動する。このため、温度検知手段がドレンの温度がドレン凍結温度以下であることを検知したときのみ加熱手段が作動されることによって、凍結したドレンを確実に解凍することができる。
【００１４】
上記の潜熱回収式熱源機は、ドレン排出ポンプの回転駆動を検知するための回転センサをさらに備えている。潜熱回収式熱源機は、回転センサがドレン排出ポンプの回転駆動を検知しなければ、ドレン排出ポンプの駆動を中止する。このため、ドレン排出ポンプの回転駆動を回転センサによって検知することでドレン排出ポンプの駆動を検知することができる。
【発明の効果】
【００１５】
以上説明したように本発明によれば、ドレンが凍結した後に使用してもドレン排出ポンプの破損を抑制できる潜熱回収式熱源機を得ることができる。
【図面の簡単な説明】
【００１６】
【図１】本発明の実施の形態１における潜熱回収式熱源機の構成を概略的に示す概略図である。
【図２】本発明の実施の形態１における潜熱回収式熱源機の通常運転時におけるドレン排出ポンプ作動開始時の様子を概略的に示す概略図である。
【図３】本発明の実施の形態１における潜熱回収式熱源機の通常運転時におけるドレン排出ポンプ停止時の様子を概略的に示す概略図である。
【図４】本発明の実施の形態１における潜熱回収式熱源機の凍結運転時におけるドレン排出ポンプ作動開始時の様子を概略的に示す概略図である。
【図５】本発明の実施の形態１における潜熱回収式熱源機の凍結運転時におけるドレン排出ポンプ停止時の様子を概略的に示す概略図である。
【図６】本発明の実施の形態１における潜熱回収式熱源機のドレンポンプの動作を示すフローチャートである。
【図７】本発明の実施の形態２における潜熱回収式熱源機の構成を概略的に示す概略図である。
【図８】本発明の実施の形態２における潜熱回収式熱源機の通常運転時におけるドレン排出ポンプ作動開始時の様子を概略的に示す概略図である。
【図９】本発明の実施の形態２における潜熱回収式熱源機の通常運転時におけるドレン排出ポンプ停止時の様子を概略的に示す概略図である。
【図１０】本発明の実施の形態２における潜熱回収式熱源機の凍結運転時におけるドレン排出ポンプ作動開始時の様子を概略的に示す概略図である。
【図１１】本発明の実施の形態２における潜熱回収式熱源機の凍結運転時におけるドレン排出ポンプ停止時の様子を概略的に示す概略図である。
【図１２】本発明の実施の形態２における潜熱回収式熱源機のドレンポンプの動作を示すフローチャートである。
【発明を実施するための形態】
【００１７】
以下、本発明の実施の形態について図に基づいて説明する。
（実施の形態１）
まず本発明の実施の形態１の潜熱回収式熱源機の構成について説明する。
【００１８】
図１を参照して、本実施の形態の潜熱回収式熱源機は、潜熱回収式の熱源機であり、熱源機で発生したドレンを回収し、排出可能に構成されている。潜熱回収式熱源機は、ドレンタンク１と、水位検知手段２と、排出管３と、ドレン排出ポンプ４と、加熱手段５と、制御部６と、回転センサ７と、中和器８と、逆止弁９と、給湯側熱交換器１１と、風呂側熱交換器１２と、ドレン受け１３と、給湯配管１４ａと、給水配管１４ｂと、往き配管１５ａと、戻り配管１５ｂと、燃焼バーナ１６と、送風機１７とを主に有している。
【００１９】
ドレンタンク１は、潜熱回収式熱源機で発生したドレンを貯留するためのものである。水位検知手段２は、ドレンタンク１内におけるドレンの水位を検知するためのものである。水位検知手段２は、ドレンタンク１内におけるドレンの水位が少なくとも高位および低位のいずれかにあることを検知可能である。この水位検知手段２は、ドレンタンク１内の低水位（Ｌ：低位）を検知するための電極部Ｌと、高水位（Ｈ：高位）を検知するための電極部Ｈとを有している。
【００２０】
排出管３は、ドレンをドレンタンク１から排出するためのものであり、ドレンタンク１に接続されている。ドレン排出ポンプ４は、排出管３の途中に接続されている。これにより、排出管３は、ドレンタンク１からドレン排出ポンプ４までを繋ぐ排出管部分３ａと、ドレン排出ポンプ４の下流側に接続された排出管部分３ｂとに分けられている。
【００２１】
加熱手段５はドレン排出ポンプ４を加熱するためのものである。加熱手段５はドレン排出ポンプ４内の凍結したドレンを解凍できるように構成されている。加熱手段５はドレン排出ポンプ４に接続されていてもよく、排出管３に接続されていてもよい。加熱手段５としてヒータを用いることができる。
【００２２】
制御部６は、水位検知手段２、ドレン排出ポンプ４および加熱手段５の各々に電気的に接続されている。制御部６は水位検知手段２からのドレンの水位が高位以上であることの信号に基づいて、ドレンの水位が低位であることの信号が入力されるまでドレン排出ポンプ４を駆動するよう制御可能に構成されている。
【００２３】
また制御部６は回転センサ７に電気的に接続されている。回転センサ７は、ドレン排出ポンプ４の回転駆動を検知するためのものである。回転センサ７はドレン排出ポンプ４の回転駆動を検知すると制御部６に信号を送信できるように構成されている。回転センサはたとえばホール素子であって、ホール素子のＯＮまたはＯＦＦの信号によって回転駆動を検知することができる。
【００２４】
この潜熱回収式熱源機は、水位検知手段２がドレンの所定以上の水位を検知して、ドレン排出ポンプ４を駆動するよう制御してから所定時間内にドレン排出ポンプ４の駆動を検知しなければ、ドレン排出ポンプ４を駆動する制御を中止し、加熱手段５を所定時間作動してドレン排出ポンプ４を加熱するように構成されている。また潜熱回収式熱源機は、水位検知手段２がドレンの水位が高位よりも低位側にあることを検知したときにドレン排出ポンプ４を駆動するように制御するように構成されている。
【００２５】
具体的には、制御部６は、水位検知手段２からのドレンの水位が低位以上であることの信号に基づいてドレン排出ポンプ４を所定時間継続して駆動するよう制御可能に構成されている。また、制御部６は、ドレン排出ポンプ４を駆動するよう制御してから所定時間内に、回転センサ７がドレン排出ポンプ４の回転駆動を検知しなければ、ドレン排出ポンプ４を駆動する制御を中止するように構成されている。そして、制御部６は加熱手段５を所定時間作動するように構成されている。
【００２６】
また潜熱回収式熱源機は、潜熱回収式熱源機の運転を終了した後に再び潜熱回収式熱源機の運転を開始してから、水位検知手段２がドレンの水位が高位よりも低位側にあることを検知したときにドレン排出ポンプ４を駆動するように制御するように構成されている。また潜熱回収式熱源機は、回転センサ７がドレン排出ポンプ４の回転駆動を検知しなければ、ドレン排出ポンプ４の駆動を中止するように構成されている。
【００２７】
なおドレン排出ポンプ４の下流側に接続された排出管部分３ｂの途中には逆止弁９が接続されていてもよい。この逆止弁９は、逆止弁９の上流側から下流側へのドレンの流れを許容し、下流側から上流側へのドレンの流れを許容しないよう構成されている。またドレンの排出先は、たとえば排出管３が接続されている浴室防水パンなどの排出部などである。
【００２８】
給湯側熱交換器１１および風呂側熱交換器１２のそれぞれは、潜熱回収型の熱交換器である。潜熱回収型の熱交換器では、従来排出していた熱交換後のガスが二次熱交換器へ通されることで二次熱交換器内の水が予熱される。この過程で燃焼ガスの温度が６０℃程度まで下がることで、燃焼ガス中に含まれる水分が凝縮して潜熱を得ることができる。このため給湯側熱交換器１１は、一次熱交換器１１ａと、二次熱交換器１１ｂとを有している。また風呂側熱交換器１２は、一次熱交換器１２ａと、二次熱交換器１２ｂとを有している。
【００２９】
給湯側熱交換器１１において、一次熱交換器１１ａの一方端と二次熱交換器１１ｂの一方端とは互いに接続されている。一次熱交換器１１ａの他方端には給湯配管１４ａが接続されており、二次熱交換器１１ｂの他方端には給水配管１４ｂが接続されている。一次熱交換器１１ａが二次熱交換器１２ａよりも燃焼バーナ１６の近くに配置されている。
【００３０】
また風呂側熱交換器１２においても、一次熱交換器１２ａの一方端と二次熱交換器１２ｂの一方端とは互いに接続されている。一次熱交換器１２ａの他方端には往き配管１５ａが接続されており、二次熱交換器１２ｂの他方端には戻り配管１５ｂが接続されている。一次熱交換器１２ａが二次熱交換器１２ｂよりも燃焼バーナ１６の近くに配置されている。
【００３１】
燃焼バーナ１６は、給湯側熱交換器１１および風呂側熱交換器１２との間で熱交換を行なうための燃焼ガスを発生させるためのものである。送風機１７は燃焼バーナ１６に対して燃焼に必要な空気を供給するためのものである。
【００３２】
潜熱回収式の熱交換器では、上記のとおり燃焼ガスの水蒸気を凝縮させる構造上、凝縮した水（ドレン）が発生するためドレンの排水が必要である。このため、ドレン受け１３が、二次熱交換器１１ｂ、１２ｂのそれぞれの下側に配置されている。
【００３３】
また排気ガス中には窒素酸化物などが含まれるため、これがドレンに溶け込んでドレンは酸性となる。中和器８は、ドレン受け１３で受けられた酸性のドレンを中和するためのものである。中和器８は、ドレン受け１３およびドレンタンク１に接続されており、ドレン受け１３で受けられた酸性のドレンを中和させた後に、ドレンタンク１内にドレンを供給できるよう構成されている。
【００３４】
次に、本実施の形態のドレン排出動作について図１〜図６を用いて説明する。
図１および図６を参照して、まず潜熱回収式熱源機の運転スイッチ（ＳＷ）がＯＮか否かが判別される（ステップＳ１：図６）。そして運転スイッチがＯＮで潜熱回収式熱源機が運転している場合には、水位検知手段２により検出されるドレンタンク１内の水位が高水位（Ｈ）以上か否かが判別される（ステップＳ２）。水位が高水位（Ｈ）未満の場合には、引き続き、水位検知手段２により検出されるドレンタンク１内の水位が高水位（Ｈ）以上か否かが判別される（ステップＳ２）。そして水位が高水位（Ｈ）以上になった場合には、ドレン排出ポンプ４がＯＮされて（ステップＳ３）、ドレンタンク１内のドレンが排出される。ドレンタンク１内の水位が高水位（Ｈ）以上になった様子を図２に示す。
【００３５】
このドレンの排出後、水位検知手段２により検出されるドレンタンク１内の水位が低水位（Ｌ）未満か否かが判別される（ステップＳ４）。水位が低水位（Ｌ）以上の場合には、引き続き、水位検知手段２により検出されるドレンタンク１内の水位が低水位（Ｌ）未満か否かが判別される（ステップＳ４）。そして水位が低水位（Ｌ）未満になった場合には、ドレン排出ポンプ４がＯＦＦされて（ステップＳ５）、ドレンタンク１内のドレンの排出が停止される。ドレンタンク１内の水位が低水位（Ｌ）になった様子を図３に示す。
【００３６】
この後、上記のステップＳ１〜Ｓ５が繰り返されることにより、潜熱回収式熱源機の通常運転時におけるドレンタンク１内の水位が低水位（Ｌ）以上、高水位（Ｈ）以下に制御される。
【００３７】
一方、上記ステップＳ１において潜熱回収式熱源機の運転スイッチがＯＦＦと判別された場合には、凍結運転（ステップＳ１１）が行われる。具体的には、電源投入初回か否かが判別される（ステップＳ１２）。そして電源投入初回の場合には水位が低水位（Ｌ）以上か否かが判別される（ステップＳ１３）。また電源投入初回でない場合にはスタートの状態に戻る。ドレンタンク１内の水位が低水位（Ｌ）以上になった様子を図４に示す。水位が低水位（Ｌ）以上の場合には、ドレン排出ポンプ４がＯＮされる（ステップＳ１４）。また水位が低水位（Ｌ）未満の場合にはスタートの状態に戻る。
【００３８】
ドレン排出ポンプ４がＯＮされた後にドレン排出ポンプ４の回転数が回転センサ７によって検知されるか否かが判別される（ステップＳ１５）。ドレン排出ポンプ４の回転数が検知された場合には、ドレンタンク１内のドレンが排出され、ドレンタンク１内の水位が低水位（Ｌ）未満か否かが水位検知手段２により判別される（ステップＳ１６）。水位が低水位（Ｌ）以上の場合には、引き続き、ドレンタンク１内のドレンが排出され、水位検知手段２によりドレンタンク１内のドレンの水位が低水位（Ｌ）未満か否かが判別される。水位が低水位（Ｌ）未満になった場合にはドレン排出ポンプ４がＯＦＦされて（ステップＳ１７）、ドレンタンク１内のドレンの排出が停止される。ドレンタンク１内の水位が低水位（Ｌ）未満になった様子を図５に示す。
【００３９】
ドレン排出ポンプ４の回転数が検知されない場合には、ドレン排出ポンプ４がＯＦＦされる（ステップ２１）。そして、加熱手段（ヒータ）５がＯＮされて（ステップ２２）、設定時間経過したか否かが判別される（ステップＳ２３）。設定時間経過するまで加熱手段（ヒータ）５は作動され、設定時間経過すると加熱手段（ヒータ）５はＯＦＦされる（ステップ２４）。これにより、ドレン排出ポンプ４内の凍結したドレンを加熱手段（ヒータ）５で解凍することができる。
【００４０】
次に、本実施の形態の作用効果について説明する。
本実施の形態の潜熱回収式熱源機は、ドレン排出ポンプ４を駆動するよう制御してから所定時間内にドレン排出ポンプ４の駆動を検知しなければ、ドレン排出ポンプ４を駆動する制御を中止する。このため、ドレン排出ポンプ４の負担が抑制される。そして、加熱手段（ヒータ）５を所定時間作動することによって凍結したドレンを解凍することができる。凍結したドレンを解凍した後にドレン排出ポンプ４を駆動することによってドレン排出ポンプ４に負担をかけないようにすることができる。これにより、ドレンが凍結した後に使用してもドレン排出ポンプ４の破損を抑制することができる。
【００４１】
また本実施の形態の潜熱回収式熱源機においては、水位検知手段２がドレンの水位が高位よりも低位側にあることを検知したときにドレン排出ポンプ４が駆動されるため、通常運転とは異なる凍結運転においてドレン排出ポンプ４を駆動することができる。また、ドレンがドレン排出ポンプ４内に入った状態で加熱手段（ヒータ）５が作動されることによって、ドレンがドレン排出ポンプ４内に入っていない状態よりも加熱手段（ヒータ）５の伝熱効率を高めることができる。つまり、加熱手段（ヒータ）５で空焚きするよりも伝熱効率を高めることができる。
【００４２】
また本実施の形態の潜熱回収式熱源機は、潜熱回収式熱源機の運転を終了した後に再び運転を開始したときに加熱手段（ヒータ）５が作動されることによって、凍結したドレンを解凍することができる。
【００４３】
また本実施の形態の潜熱回収式熱源機は、ドレン排出ポンプ４の回転駆動を回転センサ７によって検知することでドレン排出ポンプ４の駆動を検知することができる。
【００４４】
（実施の形態２）
図７を参照して、本発明の実施の形態２の構成は、温度検知手段２０をさらに備えている点において、図１に示す実施の形態１の構成と異なっている。この温度検知手段２０は、ドレンの温度を検知するためのものである。この温度検知手段２０は、ドレンタンク１内のドレンの温度を検知するための電極部Ｔを有している。この電極部Ｔは、ドレンタンク１の底部に対して、水位検知手段２の電極部Ｌと同等またはそれ以下の距離に配置されている。この温度検知手段２０は制御部６に電気的に接続されている。本実施の形態では、潜熱回収式熱源機は、温度検知手段２０がドレンの温度が所定温度以下であることを検知したときのみ、加熱手段（ヒータ）５を作動するよう構成されている。なお、温度検知手段２０としてサーミスタを用いることもできる。この場合、ドレンタンク底部近傍に配したサーミスタでドレン温度を検知してもよい。
【００４５】
なお、これ以外の本実施の形態の構成は、上述した実施の形態１の構成とほぼ同じであるため同一の要素については同一の符号を付し、その説明を繰り返さない。
【００４６】
次に、本実施の形態のドレン排出動作について図６〜図１２を用いて説明する。
図７および図１２を参照して、本実施の形態では、まずドレンの温度が所定温度以上か否かが温度検知手段２０によって検知される（ステップＳ１０）。この所定温度はたとえば３℃に設定される。ドレンの温度が所定温度以上と判別された場合には、通常運転が行われる。水位検知手段２により検出されるドレンタンク１内の水位が高水位（Ｈ）以上か否かが判別される（ステップＳ２）。水位が高水位（Ｈ）未満の場合には、引き続き、水位検知手段２により検出されるドレンタンク１内の水位が高水位（Ｈ）以上か否かが判別される（ステップＳ２）。そして水位が高水位（Ｈ）以上になった場合には、ドレン排出ポンプ４がＯＮされて（ステップＳ３）、ドレンタンク１内のドレンが排出される。ドレンタンク１内の水位が高水位（Ｈ）以上になった様子を図８に示す。
【００４７】
このドレンの排出後、水位検知手段２により検出されるドレンタンク１内の水位が低水位（Ｌ）未満か否かが判別される（ステップＳ４）。水位が低水位（Ｌ）以上の場合には、引き続き、水位検知手段２により検出されるドレンタンク１内の水位が低水位（Ｌ）未満か否かが判別される（ステップＳ４）。そして水位が低水位（Ｌ）未満になった場合には、ドレン排出ポンプ４がＯＦＦされて（ステップＳ５）、ドレンタンク１内のドレンの排出が停止される。ドレンタンク１内の水位が低水位（Ｌ）になった様子を図９に示す。
【００４８】
この後、上記のステップＳ１０〜Ｓ５が繰り返されることにより、潜熱回収式熱源機の通常運転時におけるドレンタンク１内の水位が低水位（Ｌ）以上、高水位（Ｈ）以下に制御される。
【００４９】
一方、上記ステップＳ１０においてドレンの温度が所定温度未満と判別された場合には、凍結運転（ステップＳ１１）が行われる。具体的には、電源投入初回か否かが判別される（ステップＳ１２）。そして電源投入初回の場合には水位が低水位（Ｌ）以上か否かが判別される（ステップＳ１３）。また電源投入初回でない場合にはスタートの状態に戻る。ドレンタンク１内の水位が低水位（Ｌ）以上になった様子を図１０に示す。水位が低水位（Ｌ）以上の場合には、ドレン排出ポンプ４がＯＮされる（ステップＳ１４）。また水位が低水位（Ｌ）未満の場合にはスタートの状態に戻る。
【００５０】
ドレン排出ポンプ４がＯＮされた後にドレン排出ポンプ４の回転数が回転センサ７によって検知されるか否かが判別される（ステップＳ１５）。ドレン排出ポンプ４の回転数が検知された場合には、ドレンタンク１内のドレンが排出され、ドレンタンク１内の水位が低水位（Ｌ）未満か否かが水位検知手段２により判別される（ステップＳ１６）。水位が低水位（Ｌ）以上の場合には、引き続き、ドレンタンク１内のドレンが排出され、水位検知手段２によりドレンタンク１内のドレンの水位が低水位（Ｌ）未満か否かが判別される。水位が低水位（Ｌ）未満になった場合にはドレン排出ポンプ４がＯＦＦされて（ステップＳ１７）、ドレンタンク１内のドレンの排出が停止される。ドレンタンク１内の水位が低水位（Ｌ）未満になった様子を図１１に示す。
【００５１】
ドレン排出ポンプ４の回転数が検知されない場合には、ドレン排出ポンプ４がＯＦＦされる（ステップＳ２１）。そして、加熱手段（ヒータ）５がＯＮされて（ステップＳ２２）、設定時間経過したか否かが判別される（ステップＳ２３）。この設定時間はたとえば４０分間である。設定時間経過するまで加熱手段（ヒータ）５は作動され、設定時間経過すると加熱手段（ヒータ）５はＯＦＦされる（ステップＳ２４）。これにより、ドレン排出ポンプ４内の凍結したドレンを加熱手段（ヒータ）５で解凍することができる。
【００５２】
本実施の形態においては、実施の形態１と同様の作用効果を得ることができる。
また本実施の形態の潜熱回収式熱源機は、温度検知手段２０がドレンの温度がドレン凍結温度以下であることを検知したときのみ加熱手段（ヒータ）５が作動されることによって、凍結したドレンを確実に解凍することができる。
【００５３】
上記ではドレン排出ポンプ４の回転数を検知することによって、ドレン排出ポンプ４の駆動を検知したが、ドレン排出ポンプ４の駆動を検知するための構成は上記に限定されない。たとえば、水位検知手段２の低水位を検知するための電極部Ｌの信号に基づいて、ドレン排出ポンプ４の駆動を検知してもよい。つまり、ドレン排出ポンプ４を駆動するよう制御してから所定時間内に電極部Ｌの信号が消えなければ水位が変化していないと判別できるためドレン排出ポンプ４が駆動していないと判別することができる。
【００５４】
なお、ドレン排出ポンプ４のコイル温度の上昇によってもドレン排出ポンプ４の駆動を検知することができ、またドレン排出ポンプ４の電流値の変化によってもドレン排出ポンプ４の駆動を検知することができる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５６】
１  ドレンタンク、２  水位検知手段、３  排出管、４  ドレン排出ポンプ、５  加熱手段、６  制御部、７  回転センサ、８  中和器、９  逆止弁、１１  給湯側熱交換器、１２  風呂側熱交換器、１４ａ  給湯配管、１４ｂ  給水配管、１５ａ  往き配管、１５ｂ  戻り配管、１６  燃焼バーナ、１７  送風機、２０  温度検知手段。
【図１】
2015040669.tif 000003
【図２】
2015040669.tif 000004
【図３】
2015040669.tif 000005
【図４】
2015040669.tif 000006
【図５】
2015040669.tif 000007
【図６】
2015040669.tif 000008
【図７】
2015040669.tif 000009
【図８】
2015040669.tif 000010
【図９】
2015040669.tif 000011
【図１０】
2015040669.tif 000012
【図１１】
2015040669.tif 000013
【図１２】
2015040669.tif 000014